(57)【要約】      （修正有）【課題】棚板を増設するときや棚板を取り外すときに容易に対応できるとともに、増設した棚板の強度を大きくできる棚板支持具及びそれを用いたラックを提供する。【解決手段】棚板６を支柱の任意の高さで支持する棚板支持具１０において、内部にテーパー状の孔を有し、支柱に固定される支持用筒部１０と、この支持用筒部１０に取り付けられた支持用鍔部１１と、この支持用鍔部１１に設けられ、棚板６の四隅に下方に伸びて形成された支持部６３が挿入される２つの支持用係止孔１２と、を備え、１つの支持用係止孔１２に１つの棚板６の支持部６３が挿入され、他方の支持用係止孔１２には、増設する棚板６の支持部６３が挿入される。【選択図】図９
2014171655.tif 000002
【特許請求の範囲】
【請求項１】
棚板を支柱の任意の高さで支持する棚板支持具において、
内部にテーパー状の孔を有し、前記支柱に固定される支持用筒部と、この支持用筒部に取り付けられた支持用鍔部と、この支持用鍔部に設けられ、前記棚板の四隅に下方に伸びて形成された支持部が挿入される２つの支持用係止孔と、を備え、
前記１つの支持用係止孔に１つの棚板の支持部が挿入され、他方の支持用係止孔には、増設する棚板の支持部が挿入されることを特徴とする棚板支持具。
【請求項２】
前記棚板支持具は、前記支柱の上下の移動を規制し、支柱に対して回転可能に固定されることを特徴とする請求項１記載の棚板支持具。
【請求項３】
前記棚板支持具の支持用鍔部は扇形に形成されていることを特徴とする請求項１または請求項２に記載の棚板支持具。
【請求項４】
物が載置される棚板と、この棚板を周囲から支持する支柱とを備えたラックにおいて、
前記支柱に任意の高さで固定されて上記棚板を支持する棚板支持具と、
四隅にそれぞれ下方に伸びた支持部が設けられている棚板と、からなり、
前記棚板支持具は、内部にテーパー状の孔を有し、前記支柱に固定される支持用筒部と、この支持用筒部に取り付けられた支持用鍔部と、この支持用鍔部に設けられ、前記棚板の支持部が挿入される２つの支持用係止孔と、を備え、
前記支持用係止孔に前記棚板の支持部が挿入されて棚板が固定されることを特徴とするラック。
【請求項５】
四隅に支柱に固定するための支持用筒部を有する棚板を備え、
少なくとも最上段と最下段は支持用筒部を有する棚板を支柱に固定することを特徴とする請求項４に記載のラック。
【請求項６】
前記棚板支持具は、前記支柱の上下の移動を規制し、支柱に対して回転可能に固定されることを特徴とする請求項４または請求項５に記載の棚板支持具。
【請求項７】
前記棚板支持具の１つの支持用係止孔に１つの棚板の支持部が挿入され、他方の支持用係止孔には、増設する棚板の支持部が挿入され、同じ高さで増設する棚板を支持することを特徴とする請求項４から請求項６のいずれか１項に記載のラック。
【発明の詳細な説明】
【技術分野】
【０００１】
この発明は、支柱の任意の高さ位置に棚板を取り付けることができるとともに、複数の棚板を横に並べて同じ高さ位置に取り付けることができる棚板支持具及びそれを用いたラックに関するものである。
【背景技術】
【０００２】
いわゆるメタルシェルフラック等のように、４本の支柱に複数段の棚板を取り付けた組み立て式のラックがある。このようなラックは、支柱の任意の高さに棚板を支持する手段として、通常２つ割の支持用スリーブと支持用筒部とが用いられる。支持用スリーブの外周面及び支持用筒部の内周面が円錐状に形成され、２つ割の支持用スリーブを、支柱を抱えるように取り付けて、その外側に円錐筒状の支持用筒部が被さるように取り付けられる。
【０００３】
支持用筒部は棚板の四隅にそれぞれ一体的に固定されている。これにより、棚板が支柱に確実に取り付けられて固定される。
【０００４】
しかし、上記のような構成の場合、棚板の四隅に一体的に取り付けられた支持用筒部を支柱に通す場合、支持用筒部を大きな棚板ごと持ち上げて支柱に通さなければならず、手間がかかり、組立や棚板の高さを変更する場合の作業が面倒である。
【０００５】
また、棚板を横に２枚並べて連結して用いる場合、棚板の四隅に支持用筒部が取り付けられているため、棚板が隣同士で干渉しないよう上下にずらして取り付けられることになる。
【０００６】
しかしながら、上記の構成の場合、隣同士の棚板が上下にずれて段差が付いてしまうため、使い勝手がよくないという問題がある。
【０００７】
そこで、特許文献１には、既存のラックに棚板を容易に増設することができる増設ラックが提案されている。この特許文献１には、既存のラックの棚板と同じ高さに取り付けられる増設用棚板と、当該増設用棚板の一方に設けられた支持用筒部と、当該支持用筒部が固定されて上記増設用棚板を既存のラックの棚板と同じ高さで支持する支柱と、上記増設用棚板の他方に設けられた状態で既存のラックの棚板に引っ掛けられて増設用棚板を既存のラックの棚板と同じ高さで支持するフックとを備えた増設用ラックが開示されている。
【０００８】
上記構成により、棚板を増設する場合は、増設用棚板の一方に設けられた支持用筒部を支柱に通して、増設用棚板を既存のラックの棚板と同じ高さで支持する。増設用棚板の他方は、フックを既存のラックの棚板に引っ掛ける。これにより、既存のラックに増設用棚板を、既存のラックの棚板と同じ高さで、増設することができる。
【先行技術文献】
【特許文献】
【０００９】
【特許文献１】特開２００４−９７３２８号公報
【発明の概要】
【発明が解決しようとする課題】
【００１０】
しかしながら、上記の増設用ラックでは、増設のために別途フックを用意する必要があり、部品点数が増えると共に、フックを紛失した場合には、増設することができないという問題があった。また、既存のラックの棚板にフックを引っ掛け、フックを引っ掛けた部分の棚板で増設用棚板及び棚板に載せる物品の重量を支える必要があり、重量が嵩むものでは強度が持たないという問題もあった。
【００１１】
そこで、この発明は、棚板を増設するときや棚板を取り外すときに容易に対応できるとともに、増設した棚板の強度を大きくできる棚板支持具及びそれを用いたラックを提供することを課題とするものである。
【課題を解決するための手段】
【００１２】
この発明は、上記の課題を解決するために、棚板を支柱の任意の高さで支持する棚板支持具において、内部にテーパー状の孔を有し、前記支柱に固定される支持用筒部と、この支持用筒部に取り付けられた支持用鍔部と、この支持用鍔部に設けられ、前記棚板の四隅に下方に伸びて形成された支持部が挿入される２つの支持用係止孔と、を備え、前記１つの支持用係止孔に１つの棚板の支持部が挿入され、他方の支持用係止孔には、増設する棚板の支持部が挿入されるように構成したものである。
【００１３】
また、前記棚板支持具は、前記支柱の上下の移動を規制し、支柱に対して回転可能に固定されるように構成することができる。
【００１４】
また、前記棚板支持具の支持用鍔部は扇形に形成することができる。
【００１５】
また、この発明は、物が載置される棚板と、この棚板を周囲から支持する支柱とを備えたラックにおいて、前記支柱に任意の高さで固定されて上記棚板を支持する棚板支持具と、四隅にそれぞれ下方に伸びた支持部が設けられている棚板と、からなり、前記棚板支持具は、内部にテーパー状の孔を有し、前記支柱に固定される支持用筒部と、この支持用筒部に取り付けられた支持用鍔部と、この支持用鍔部に設けられ、前記棚板の支持部が挿入される２つの支持用係止孔と、を備え、前記支持用係止孔に前記棚板の支持部が挿入されて棚板が固定されるように構成したものである。
【００１６】
また、この発明は、四隅に支柱に固定するための支持用筒部を有する棚板を備え、少なくとも最上段と最下段は支持用筒部を有する棚板を支柱に固定するように構成することができる。
【００１７】
前記棚板支持具は、前記支柱の上下の移動を規制し、支柱に対して回転可能に固定することができる。
【００１８】
また、前記棚板支持具の１つの支持用係止孔に１つの棚板の支持部が挿入され、他方の支持用係止孔には、増設する棚板の支持部が挿入され、同じ高さで増設する棚板を支持するように構成することができる。
【発明の効果】
【００１９】
この発明においては、上記のように、棚板と支柱２固定する棚板支持具を別体で構成しているので、棚板の高さを変える場合には、棚板支持具から棚板を取り外し、その後、棚板支持具を所定の高さに変更することで、棚板の高さを容易に変更することができる。
【図面の簡単な説明】
【００２０】
【図１】この発明の実施形態の棚板支持具の斜視図である。
【図２】この発明の実施形態の棚板支持具の上面図である。
【図３】図２のＡ−Ａ線断面図である。
【図４】支柱及び支持用スリーブを示す斜視図である。
【図５】支柱及び支持用スリーブを示す正面図である。
【図６】支柱及び支持用スリーブにこの発明の実施形態の棚板支持具を取り付ける状態を示す説明図である。
【図７】支柱及び支持用スリーブにこの発明の実施形態の棚板支持具を取り付けた状態を示す斜視図である。
【図８】この発明の実施形態に用いられる棚板の要部を示す斜視図である。
【図９】この発明の実施形態の棚板支持具に棚板を取り付けた状態を示す斜視図である。
【図１０】この発明の実施形態の棚板支持具に棚板を取り付けた状態を示す斜視図である。
【図１１】この発明の実施形態の棚板支持具に増設用の棚板を取り付ける状態を示す斜視図である。
【図１２】この発明の実施形態の棚板支持具に増設用の棚板を取り付けた状態を示す斜視図である。
【図１３】棚板を示す斜視図である。
【図１４】この発明の実施形態にかかるラックを示す斜視図である。
【図１５】棚板を増設したラックを示す斜視図である。
【発明を実施するための形態】
【００２１】
この発明の実施形態を添付図面に基づいて具体的に説明する。
図１〜図３は、この発明に係る棚板支持具１を示し、この棚板支持具１は、支持用筒部１の下方部に扇型の支持用鍔部１１が溶接などにより固定されている。この支持用鍔部１１に後述するように、棚板の四隅に下方に伸びて形成された金属線材からなる支持部が挿入される２つの支持用係止孔１２、１２が設けられている。
【００２２】
この支持用係止孔１２、１２の１つの支持用係止孔１２に１つの棚板の支持部が挿入され、棚板を増設する場合は、他の支持用係止孔１２に増設する棚板の支持部が挿入され、一対の棚板支持具１で棚板が横方向で同一の高さで増設支持される。この棚板支持具１と棚板との取り付けについては後述する。
【００２３】
棚板支持具１の支持用筒部１０は、内部にテーパー状の孔１０ａが形成されている。即ち、下部の内径Ｄ１が上部の内径Ｄ２より大きく形成され、支持用スリーブ５とほぼ整合するように、上方へ向けて内径を縮小させて形成されている。この支持用筒部１０を、支柱２に取り付けられたテーパー状に形成された支持用スリーブ５の上側から嵌合させることで、支持用筒部１０が支持用スリーブ５を締め付けるようして支柱５に棚板支持具１が固定される。この支持用スリーブ５は、くさびとして機能し、支柱５に棚板支持具１が固定される。
【００２４】
図４等に示すように、支柱２は、断面形状が円形の棒材で構成され、その外周面に環状溝２１が形成されている。この環状溝２１は、支持用スリーブ５の係止用突条５１が嵌合することで、この支持スリーブ５を支持するための溝である。この環状溝２１は、支柱２に一定間隔をおいて上下に複数設けられる。環状溝２１の位置は、ラックの大きさ等に合わせて適宜設定される。
【００２５】
図４及び図５に示すように、支持用スリーブ５は、２分割のテーパー形状に形成され、支柱２の環状溝２１に係止される係止用突条５１が内面に形成されている。その係止用突条５１を溝２１に嵌め込み、支持スリーブ５の分割面に対応して設けた凹凸５２、５３を係合させると、支持スリーブ５が支柱２の外周に仮固定される。支柱２の外周に仮固定された支持スリーブ５は、上方から下方に向けて外形が大きくなるような状態で取り付けられる。
【００２６】
支持用スリーブ５の係止用突条５１を支柱２の任意の位置の環状溝２１に嵌合させて、支持用筒部１０を支持用スリーブ５に取り付けることで、棚板支持具１を任意の高さで支柱２に固定することができるようになっている。
【００２７】
最上段と最下段の棚板以外の中間段の棚板６について、図８、図１４及び図１５を参照して説明する。これらの図に示すように、棚板６は、四角形板状に形成されている。具体的には、物の載置面となる床板部６１と、床板部６１の周縁を覆う周縁壁部６２とから構成されている。
【００２８】
床板部６１は、金属線材を縦横に組み合わせて四角形の平板状に形成されている。床板部６１の大きさは、最上段と最下段の棚板７の大きさに応じて適宜設定される。
【００２９】
周縁壁部６２は、床板部６１の周縁から垂直方向へ垂下して形成されている。周縁壁部６２は、上下２本の水平線材６２ａ、６２ｂと、これらの水平線材６２ａ、６２ｂの間に設けられ波打つように曲げて各水平線材６２ａ、６２ｂをつなぐ中間線材６２ｃと、を組み合わせて構成されている。
【００３０】
この棚板６の周縁壁部６２の四隅にそれぞれ下方に伸びた金属線材からなる支持部６３が設けられている。この支持部６３は、水平線材６２ａ、６２ｂに溶接等により固定されている。
【００３１】
また、最上段と最下段の棚板７と棚板６とは、支柱２に支持する態様を除き基本的には同様に構成されている。即ち、図１３に示すように、棚７は、物の載置面となる四角形板状の床板部７１と、床板部７１の周縁を覆う周縁壁部７２とから構成されている。
【００３２】
周縁壁部７２は、床板部７１の周縁から垂直方向へ垂下して形成されている。周縁壁部７２は、上下２本の水平線材７２ａ、７２ｂと、これらの水平線材７２ａ、７２ｂの間に設けられ波打つように曲げて各水平線材７２ａ、７２ｂをつなぐ中間線材７２ｃと、を組み合わせて構成されている。
【００３３】
そして、この棚板７には、棚板７を支柱７に固定するために、四隅に支持スリーブ５の外側に嵌め込まれる支持用筒部７３が溶接等により固定されている。支持用筒部７３は、棚板７の周縁壁部７２の水平線材７２ａ、７２ｂに溶接等により直接に接合されて、上記の棚板７とほぼ同じ高さに設けられている。
【００３４】
支持用筒部７３は、その内部にテーパー状の孔（図示せず）を有している。この孔は、支持用スリーブ５とほぼ整合するように、上方へ向けて内径を縮小させて形成されている。これにより、支持用スリーブ５の内周面に設けられた係止用突条５１が支柱２の環状溝２１に嵌合した状態で、支持用筒部７３を支持用スリーブ５にその上側から嵌合させることで、支持用筒部７３が支持用スリーブ５を締め付けるようになっている。即ち、支持用スリーブ５がくさびとして機能して支柱２の外側面と支持用筒部７３の孔の内側面とに圧接されて、支持用筒部７３を支柱２に確実に固定させる。これにより、支持用スリーブ５の係止用突条５１を支柱２の任意の位置の環状溝２１に嵌合させて、支持用筒部７３を支持用スリーブ５に取り付けることで、棚板７を任意の高さで支柱２に固定することができるようになっている。
【００３５】
このように、支柱２に最上段と最下段の棚板７が固定される。最上段と最下段は、四隅に支持用筒部７３を設けた棚板７を用いることで、４つの支柱２を確実に固定し、安定した状態でラックが組み立てられるように構成している。
【００３６】
ラックの外形の大きさは、棚板７の支持用筒部７３、７３の間隔で規定される。棚板６と棚板７とを比較すると、棚板６が棚板７より一回り小さく形成される。即ち、棚板６は、棚板７の支持用筒部７、７で支持される支柱２、２間に入り込む大きさの四角形に形成されている。
【００３７】
最上段と最下段以外の棚板６は、上記した棚板支持具１を用いて支柱２に支持する。このため、図６及び図７に示すように、棚板支持具1の支持用筒部１０を支持用スリーブ５にその上側から嵌合させることで、支持用筒部１０が支持用スリーブ５を締め付ける。即ち、支持用スリーブ５がくさびとして機能して支柱２の外側面と支持用筒部１０の孔の内側面とに圧接されて、支持用筒部１０を介して棚板支持具１を支柱２に確実に固定させる。これにより、支持用スリーブ５の係止用突条５１を支柱２の任意の位置の環状溝２１に嵌合させて、支持用筒部１０を支持用スリーブ５に取り付けることで、棚板支持具１を任意の高さで支柱２に固定することができるようになっている。
【００３８】
この棚板支持具１を支柱２に固定すると、支柱２の上下の移動は規制されるが、支柱２に対して回転させることはできる。４本の支柱２…にそれぞれ棚板支持具１を固定し、１枚の棚板６を支持する場合には、図９及び図１０に示すように、扇形の支持用鍔部１１がラックの内側になるように、棚板支持具１を回転させる。そして、支持用鍔部１１の支持用係止孔１２に棚板６の支持部６３を嵌め込み、棚板支持具１に棚板６を支持させる。このようにして、支柱２に棚板支持具１を介して棚板６が固定される。
【００３９】
このように棚板６と支柱２に固定する棚板支持具１を別体で構成しているので、棚板６の高さを変える場合には、棚板支持具１から棚板６を取り外し、その後、棚板支持具１を所定の高さに変更することで、棚板６の高さを容易に変更することができる。すなわち、支持用筒部７３を一体に設けた棚板７では、棚板７の高さを変更する場合には、棚板７と一体に支持用筒部７３を支柱２から移動させる必要があり、重い棚板７ごと持ち上げる必要があり、その作業が困難である。これに対して、棚板支持具１から棚板６を取り外した後、棚板支持具１を一つずつ上に移動させて取り外し、所定の支柱２の位置に、支持用スリーブ５を取り付けて、そこに棚板支持具１を嵌め込み、棚板支持具１を取り付けることで、棚板６の高さを容易に変更することができる。
【００４０】
次に、この発明のラックの組立につき説明する。例えば、最下段の棚板７を取り付ける位置の支柱２１の環状溝２１に支持用スリーブ５の内周面に設けられた係止用突条５１を嵌合させ、支持用スリーブを仮固定する。そして、支持用スリーブ５の内周面に設けられた係止用突条５１が支柱２の環状溝２１に嵌合した状態で、支持用筒部７３を支持用スリーブ５にその上側から嵌合させることで、支持用筒部７３を支柱２に確実に固定させる。これにより、最下段の棚板７が所定の高さで支柱２に固定される。
【００４１】
続いて、棚板６を取り付ける位置の支柱２の環状溝２１に支持用スリーブ５の内周面に設けられた係止用突条５１を嵌合させ、支持用スリーブを仮固定する。そして、支持用スリーブ５の内周面に設けられた係止用突条５１が支柱２の環状溝２１に嵌合した状態で、棚板支持具１の支持用筒部１０を支持用スリーブ５にその上側から嵌合させることで、棚板支持具１の支持用筒部１０を支柱２に確実に固定させる。これにより、棚板支持具１が所定の高さで支柱２に固定される。棚板６を固定する枚数だけ、上記の動作を繰り返す。
【００４２】
その後、最上段の棚板７を取り付ける位置の支柱２１の環状溝２１に支持用スリーブ５の内周面に設けられた係止用突条５１を嵌合させ、支持用スリーブを仮固定する。そして、支持用スリーブ５の内周面に設けられた係止用突条５１が支柱２の環状溝２１に嵌合した状態で、支持用筒部７３を支持用スリーブ５にその上側から嵌合させることで、支持用筒部７３を支柱２に確実に固定させる。これにより、最上段の棚板７が所定の高さで支柱２に固定される。
【００４３】
そして、４本の支柱２…にそれぞれ固定された棚板支持具１を、図９及び図１０に示すように、扇形の支持用鍔部１１がラックの内側になるように、棚板支持具１を回転させる。そして、支持用鍔部１１の支持用係止孔１２に棚板６の支持部６３を嵌め込み、棚板支持具１に棚板６を支持させる。このようにして、支柱２に棚板支持具１を介して棚板６が固定される。
【００４４】
このようにして、図１４に示すラックが組み立てられる。
【００４５】
次に、棚板を増設する場合につき説明する。図１４に示すラックから図１５に示すようにラックを増設する場合には、増設するラックとして、最上段とに最下段に棚板７を取り付けるために、支柱２に最上段と最下段に棚板７を取り付ける。この棚板７、７の間には、棚板６を支持する個数だけ、予め棚板支持具１を上記と同様に支柱２に固定している。      
【００４６】
支柱２を取り付けた増設ラックの棚板７、７を既存のラックの支柱２に支持スリーブ５を介して取り付ける。そして、横に並べる棚板７を支持するために、図１１示すように、棚板支持具１の支持用鍔部１１を増設ラック側に回転させる。支持用鍔部１１の一方の孔１２に既存のラックの棚板６の支持部６３を挿入して係止させる。そして、図１２に示すように、支持用鍔部１１の他方の孔１２に増設する棚板６の支持部６３を挿入して形成させることで、同じ高さで横に棚板６を結合させることができる。
【００４７】
そして、増設した棚板６は、支柱２に固定した棚板支持具１で支持するので、棚板６の支持強度も十分のものが得られる。
【符号の説明】
【００４８】
１  棚板支持具
１０  支持用筒部
１１  支持用鍔部
１２  支持用係止孔
２  支柱
２１  環状溝
５  支持用スリーブ
５１  係止用突条
６  棚板
６３  支持部
７  棚板
７３  支持用筒部
【図１】
2014171655.tif 000003
【図２】
2014171655.tif 000004
【図３】
2014171655.tif 000005
【図４】
2014171655.tif 000006
【図５】
2014171655.tif 000007
【図６】
2014171655.tif 000008
【図７】
2014171655.tif 000009
【図８】
2014171655.tif 000010
【図９】
2014171655.tif 000011
【図１０】
2014171655.tif 000012
【図１１】
2014171655.tif 000013
【図１２】
2014171655.tif 000014
【図１３】
2014171655.tif 000015
【図１４】
2014171655.tif 000016
【図１５】
2014171655.tif 000017